(57)【要約】【課題】本発明は、固定部材で付設部材を鏡筒本体に固定する際に鏡筒本体に歪みや変形が生じた場合でも、その歪みや変形が既に接着剤によって取り付けられたレンズに影響を及ぼし難いレンズ鏡筒の提供を目的とする。【解決手段】鏡筒本体２と、レンズ保持部材３と、付設部材４とを備える。鏡筒本体２は、レンズ保持部材３が接着剤９によって取り付けられたレンズ取付部５と、レンズ取付部５の周方向側に、付設部材４を取付ボルト８を介して支持した付設部材支持部６と、付設部材支持部６の周方向の両側に、付設部材支持部６をレンズ取付部５から切り離したスリット７とを備えている。又、付設部材支持部６は、接着剤９と非接触になっている。【選択図】図１
2014215587.tif 000002
【特許請求の範囲】
【請求項１】
筒状の鏡筒本体と、１又は２以上のレンズを保持し前記鏡筒本体の軸方向の一端部に取り付けられた筒状のレンズ保持部材と、固定部材を介して前記鏡筒本体に取り付けられた付設部材とを備え、
前記鏡筒本体は、前記レンズ保持部材が接着剤によって取り付けられたレンズ取付部と、前記レンズ取付部の周方向側に、前記付設部材を支持した付設部材支持部と、周方向における前記付設部材支持部と前記レンズ取付部との間に形成されたスリットと、を備え、
前記付設部材支持部は、前記接着剤と非接触になっていることを特徴とするレンズ鏡筒。
【請求項２】
筒状の鏡筒本体と、前記鏡筒本体の軸方向の一端部に取り付けられた１又は２以上のレンズと、固定部材を介して前記鏡筒本体に取り付けられた付設部材とを備え、
前記鏡筒本体は、前記レンズが接着剤によって取り付けられたレンズ取付部と、前記レンズ取付部の周方向側に、前記付設部材を支持した付設部材支持部と、周方向における前記付設部材支持部と前記レンズ取付部との間に形成されたスリットと、を備え、
前記付設部材支持部は、前記接着剤と非接触になっていることを特徴とするレンズ鏡筒。
【請求項３】
前記固定部材は、取付ボルトであり、
前記付設部材支持部は、前記取付ボルトと螺合したネジ孔を備え、
前記付設部材は、前記取付ボルトと係止した係止部を備えていることを特徴とする請求項１又は２記載のレンズ鏡筒。
【請求項４】
前記レンズ取付部は、前記レンズ保持部材又は前記レンズを当て止めした当て止め部を備え、
前記当て止め部は、前記鏡筒本体の内周における前記鏡筒本体の軸方向の一端面から距離を隔てた深さ位置に、前記内周から径方向内側に突設され、
前記スリットは、前記鏡筒本体の軸方向の一端面からの距離が前記前記当て止め部の前記深さよりも長くなるように、前記鏡筒本体の軸方向の一端面から切り込まれていることを特徴とする請求項１〜３のいずれか一項に記載のレンズ鏡筒。
【請求項５】
前記付設部材支持部は、その外周面から径方向外側とその内周面から径方向内側との少なくとも一方側に突出するようにして前記鏡筒本体の軸方向に沿って延ばされたリブを備えていることを特徴とする請求項１〜４のいずれか一項に記載のレンズ鏡筒。
【請求項６】
前記鏡筒本体の一端部の周方向における前記レンズ取付部の全長さ領域は、その周方向における前記付設部材支持部の全長さ領域よりも長いことを特徴とする請求項１〜５のいずれか一項に記載のレンズ鏡筒。
【請求項７】
前記付設部材は、前記固定部材を係止した係止部と、前記係止部を挟んだ周方向の両側に、切り欠きを備えていることを特徴とする請求項１〜６のいずれか一項に記載のレンズ鏡筒。
【請求項８】
前記レンズ保持部材は、前記付設部材支持部と径方向に対向する付設部材支持部用対向部を備え、
前記付設部材支持部用対向部は、前記対向した付設部材支持部と付設部材支持部用対向部との間に隙間が形成できるように、前記レンズ保持部材の外周から径方向内側に凹まされるように形成されていることを特徴とする請求項１又は３〜７のいずれか一項に記載のレンズ鏡筒。
【請求項９】
前記レンズ取付部は、前記鏡筒本体の内周に、前記鏡筒本体の周方向に沿って形成された接着用部を備え、
前記接着剤は、少なくとも前記接着用部と前記レンズ保持部材の外周との間に介在するように配設されていることを特徴とする請求項１又は３〜８のいずれか一項に記載のレンズ鏡筒。
【請求項１０】
前記レンズ取付部は、前記鏡筒本体の内周に、前記鏡筒本体の周方向に沿って形成された接着用部を備え、
前記接着剤は、少なくとも前記接着用部と前記レンズの外周との間に介在するように配設されていることを特徴とする請求項２〜７のいずれか一項に記載のレンズ鏡筒。
【発明の詳細な説明】
【技術分野】
【０００１】
本発明は、レンズ鏡筒に関するものである。
【背景技術】
【０００２】
従来から、１又は２以上のレンズを保持しデジタルカメラ等に使用されるレンズ鏡筒が知られている。又、レンズ鏡筒として、例えばレンズを保持した第１レンズ保持部材が鏡筒本体に対して高精度に位置調整され、その調整後に、ＵＶ硬化樹脂等の接着剤で固着して高い光学性能を有するレンズ鏡筒が知られている。しかし、このようなレンズ鏡筒に、第１レンズ保持部材が接着剤で鏡筒本体に固着された後、例えば付設部材としての第２レンズ保持部材が、固定部材としての取付ボルトで鏡筒本体に取り付けられる場合には、鏡筒本体と第２レンズ保持部材との互いの取り付け部の寸法精度や加工精度のばらつき、或いは、取付ボルトの締め付けに伴い生じる歪みや変形によって、既に位置調整された第１レンズ保持部材に影響を及ぼして第１レンズ保持部材に保持されたレンズの光学性能を劣化させるおそれがある。
【０００３】
一方、特許文献１には、鏡筒本体が、周方向に沿って形成しレンズを取り付ける複数のレンズ取付部と、各レンズ取付部の周方向の両側に配設された凹部とを備え、これらの凹部によって、レンズ取付部に取り付けられたレンズが周囲の温度や湿度等の環境が変化してもレンズ取付部に取り付けられたレンズに影響が及び難くしたレンズ鏡筒が開示されている。
【先行技術文献】
【特許文献】
【０００４】
【特許文献１】特開２００５−２１５５５８号公報
【発明の概要】
【発明が解決しようとする課題】
【０００５】
しかしながら、特許文献１に開示されたレンズ鏡筒では、レンズが取り付けられた後に、鏡筒本体に付設部材が固定部材である取付ボルトで取り付けられるような場合には、上述の場合と同様に、取付ボルトの締め付けに伴い生じる歪みや変形等によって、既に取り付けられたレンズに影響を及ぼして光学性能を劣化させるおそれがある。
【０００６】
本発明は、固定部材で付設部材を鏡筒本体に取り付ける際に鏡筒本体に歪みや変形が生じた場合でも、その歪みや変形が既に接着剤によって取り付けられたレンズに影響を及ぼし難いレンズ鏡筒の提供を目的とする。
【課題を解決するための手段】
【０００７】
本発明のレンズ鏡筒は、筒状の鏡筒本体と、１又は２以上のレンズを保持し前記鏡筒本体の軸方向の一端部に取り付けられた筒状のレンズ保持部材と、固定部材を介して前記鏡筒本体に取り付けられた付設部材とを備え、前記鏡筒本体は、前記レンズ保持部材が接着剤によって取り付けられたレンズ取付部と、前記レンズ取付部の周方向側に、前記付設部材を支持した付設部材支持部と、周方向における前記付設部材支持部と前記レンズ取付部との間に形成されたスリットと、を備え、前記付設部材支持部は、前記接着剤と非接触になっていることを特徴とする。
【０００８】
この構成によれば、周方向における付設部材支持部とレンズ取付部との間に形成されたスリットを備えているため、固定部材による付設部材支持部への付設部材の取り付けに際して付設部材支持部に歪みや変形が生じても、その生じた歪みや変形が付設部材支持部からレンズ取付部に伝達し難くできる。しかも、付設部材支持部は、接着剤と非接触になっているため、付設部材支持部に生じた歪みや変形が接着剤を介して付設部材支持部からレンズ取付部に伝達するおそれの少ないものにできる。
【０００９】
これにより、本発明のレンズ鏡筒は、既に接着剤によってレンズ取付部に取り付けられたレンズ保持部材が影響を受け難く、レンズ保持部材に保持されたレンズの光学性能が劣化するおそれ少ないものになる。
【００１０】
他の一態様では、筒状の鏡筒本体と、前記鏡筒本体の軸方向の一端部に取り付けられた１又は２以上のレンズと、固定部材を介して前記鏡筒本体に取り付けられた付設部材とを備え、前記鏡筒本体は、前記レンズが接着剤によって取り付けられたレンズ取付部と、前記レンズ取付部の周方向側に、前記付設部材を支持した付設部材支持部と、周方向における前記付設部材支持部と前記レンズ取付部との間に形成されたスリットと、を備え、前記付設部材支持部は、前記接着剤と非接触になっていることを特徴とする。
【００１１】
この構成によれば、周方向における付設部材支持部とレンズ取付部との間に形成されたスリットを備えているため、固定部材による付設部材支持部への付設部材の取り付けに際して付設部材支持部に歪みや変形が生じても、その生じた歪みや変形が付設部材支持部からレンズ取付部に伝達し難くできる。しかも、付設部材支持部は、接着剤と非接触になっているため、付設部材支持部に生じた歪みや変形が接着剤を介して付設部材支持部からレンズ取付部に伝達するおそれの少ないものにできる。
【００１２】
これにより、本発明のレンズ鏡筒は、既に接着剤によってレンズ取付部に取り付けられたレンズが影響を受け難く、レンズの光学性能が劣化するおそれの少ないものになる。
【００１３】
他の一態様では、前記レンズ鏡筒において、前記固定部材は、取付ボルトであり、前記付設部材支持部は、前記取付ボルトと螺合したネジ孔を備え、前記付設部材は、前記取付ボルトと係止した係止部を備えていることを特徴とする。
【００１４】
この構成によれば、取付ボルトによって締結すると、レンズ取付部に歪みや変形を起こし易いため、本発明のレンズ鏡筒は、取付ボルトを用いて鏡筒本体に付設部材を取り付ける場合に適したものにできる。また、本発明のレンズ鏡筒は、取付ボルトによって鏡筒本体に付設部材を着脱する場合にも適したものにできる。
【００１５】
他の一態様では、前記レンズ鏡筒において、前記レンズ取付部は、前記レンズ保持部材又は前記レンズを当て止めした当て止め部を備え、前記当て止め部は、前記鏡筒本体の内周における前記鏡筒本体の軸方向の一端面から距離を隔てた深さ位置に、前記内周から径方向内側に突設され、前記スリットは、前記鏡筒本体の軸方向の一端面からの距離が前記前記当て止め部の前記深さよりも長くなるように、前記鏡筒本体の軸方向の一端面から切り込まれていることを特徴とする。
【００１６】
この構成によれば、付設部材支持部に歪みや変形が生じても、その生じた歪みや変形がより一層、付設部材支持部からレンズ取付部に伝達し難いものにできる。
【００１７】
他の一態様では、前記レンズ鏡筒において、前記付設部材支持部は、その外周面から径方向外側とその内周面から径方向内側との少なくとも一方側に突出するようにして前記鏡筒本体の軸方向に沿って延ばされたリブを備えていることを特徴とする。
【００１８】
この構成によれば、リブによって、付設部材支持部の強度を増すことができ、固定部材による付設部材支持部への付設部材の取り付けに際して生じる付設部材支持部の歪みや変形が抑えられる。
【００１９】
これにより、本発明のレンズ鏡筒は、既に接着剤によってレンズ取付部に取り付けられたレンズが、より影響を受け難くなり、より一層、レンズの光学性能が劣化するおそれの少ないものになる。
【００２０】
他の一態様では、前記レンズ鏡筒において、前記鏡筒本体に一端部の周方向における前記レンズ取付部の全長さ領域は、その周方向における前記付設部材支持部の全長さ領域よりも長いことを特徴とする。
【００２１】
この構成によれば、レンズ取付部に取り付けられたレンズ保持部材又はレンズの接着強度が高められ、レンズ保持部材又はレンズがレンズ取付部から外れるおそれの少ないものになる。
【００２２】
他の一態様では、前記レンズ鏡筒において、前記付設部材は、前記固定部材を係止した係止部と、前記係止部を挟んだ周方向の両側に、切り欠きを備えていることを特徴とする。
【００２３】
この構成によれば、切り欠きによって係止部を歪み易く又は変形し易いものにでき、固定部材による付設部材支持部への付設部材の取り付けに際して係止部に歪みや変形が生じ、付設部材支持部の歪みや変形が抑えられる。
【００２４】
他の一態様では、前記レンズ鏡筒において、前記レンズ保持部材は、前記付設部材支持部と径方向に対向する付設部材支持部用対向部を備え、前記付設部材支持部用対向部は、前記対向した付設部材支持部と付設部材支持部用対向部との間に隙間が形成できるように、前記レンズ保持部材の外周から径方向内側に凹まされるように形成されていることを特徴とする。
【００２５】
この構成によれば、付設部材支持部は接着剤から確実に非接触にされる。また、付設部材支持部用対向部がレンズ保持部材の外周から径方向内側に凹まされるように形成されているため、作業者が誤って付設部材支持部用対向部に接着剤を塗布してしまうおそれが少ないものになる。
【００２６】
他の一態様では、前記レンズ鏡筒において、前記レンズ取付部は、前記鏡筒本体の内周に、前記鏡筒本体の周方向に沿って形成された接着用部を備え、前記接着剤は、少なくとも前記接着用部と前記レンズ保持部材の外周との間に介在するように配設されていることを特徴とする。
【００２７】
この構成によれば、形状的に強度が十分に確保できる鏡筒本体の内周にレンズ保持部材を取り付けることができる。又、接着剤を鏡筒本体の内周に沿って塗布すればよく、塗布作業は容易なものになる。
【００２８】
他の一態様では、前記レンズ鏡筒において、前記レンズ取付部は、前記鏡筒本体の内周に、前記鏡筒本体の周方向に沿って形成された接着用部を備え、前記接着剤は、少なくとも前記接着用部と前記レンズの外周との間に介在するように配設されていることを特徴とする。
【００２９】
この構成によれば、形状的に強度が十分に確保できる鏡筒本体の内周にレンズを取り付けることができる。又、接着剤を鏡筒本体の内周に沿って塗布すればよく、塗布作業は容易なものになる。
【発明の効果】
【００３０】
本発明のレンズ鏡筒は、固定部材で付設部材を鏡筒本体に固定する際に鏡筒本体に歪みや変形が生じた場合でも、その歪みや変形が既に接着剤によって取り付けられたレンズに影響を及ぼし難い。
【図面の簡単な説明】
【００３１】
【図１】（ａ）は、本発明の第１実施形態のレンズ鏡筒の斜視図、（ｂ）は、図１（ａ）のレンズ鏡筒の分解斜視図、（ｃ）は、図１（ａ）のレンズ鏡筒の断面図である。
【図２】（ａ）は、図１のレンズ鏡筒に用いられる鏡筒本体の斜視図、（ｂ）は、図２（ａ）の鏡筒本体の背面図、（ｃ）は、図２（ａ）の鏡筒本体の平面図、（ｄ）は、図２（ａ）の鏡筒本体の側面図である。
【図３】図２（ｂ）の要部拡大背面図である。
【図４】（ａ）は、図１（ａ）のレンズ鏡筒に用いられるレンズ保持部材を鏡筒本体に組み付けた状態の斜視図、（ｂ）は、図４（ａ）の背面図である。
【図５】図４（ｂ）の要部拡大背面図である。
【図６】（ａ）は、本発明の第２実施形態のレンズ鏡筒の斜視図、（ｂ）は、図６（ａ）のレンズ鏡筒の背面図である。
【図７】（ａ）は、本発明の第３実施形態のレンズ鏡筒の斜視図、（ｂ）は、図７（ａ）のレンズ鏡筒の分解斜視図、（ｃ）は、図７（ａ）のレンズ鏡筒の断面図である。
【図８】（ａ）は、第３実施形態の鏡筒本体の斜視図、（ｂ）は、図８（ａ）の鏡筒本体の背面図、（ｃ）は、図８（ａ）の鏡筒本体の平面図、（ｄ）は、図８（ａ）の鏡筒本体の側面図である。
【図９】図８（ｂ）の要部拡大背面図である。
【図１０】（ａ）は、第３実施形態のレンズ鏡筒に用いられるレンズを鏡筒本体に組み付けた状態の斜視図、（ｂ）は、図１０（ａ）の背面図である。
【図１１】図１０（ｂ）の要部拡大背面図である。
【発明を実施するための形態】
【００３２】
以下、本発明を実施するための形態について、図面を参照しながら詳細に説明する。図１（ａ）は、本発明の第１実施形態のレンズ鏡筒の斜視図、図１（ｂ）は、図１（ａ）のレンズ鏡筒の分解斜視図、図１（ｃ）は、図１（ａ）のレンズ鏡筒の断面図である。又、図２（ａ）は、図１のレンズ鏡筒に用いられる鏡筒本体の斜視図、図２（ｂ）は、図２（ａ）の鏡筒本体の背面図、図２（ｃ）は、図２（ａ）の鏡筒本体の平面図、図２（ｄ）は、図２（ａ）の鏡筒本体の側面図である。尚、図のＸ方向を前方側（対物側）とし、図のＹ方向を後方側（像側）として説明する。
【００３３】
第１実施形態のレンズ鏡筒１は、筒状の鏡筒本体２と、鏡筒本体２に取付けられたレンズ保持部材３及び付設部材４とを備えている。
【００３４】
鏡筒本体２は、この実施形態では、軸方向の前部の内周に、１又は２以上のレンズからなる第１レンズ２１を固定的に保持している。又、鏡筒本体２は、軸方向の後端部（一端部）に、レンズ保持部材３が取り付けられたレンズ取付部５を有する複数（この実施形態では３つ）のレンズ取付片５ａと、付設部材４を支持した複数（この実施形態では３つ）の付設部材支持部６と、複数のスリット７とを備えている。
【００３５】
各レンズ取付片５ａは、後面視で円弧状を呈している。そして、レンズ取付片５ａは、鏡筒本体２の周方向に沿って等間隔に配設されている。
【００３６】
レンズ取付部５は、各レンズ取付片５ａの内周側における後端面から所定の距離を隔てた深さ位置に形成されている。
【００３７】
このレンズ取付部５は、レンズ保持部材３を当て止めする当て止め部５１と、レンズ保持部材３を接着剤によって接着した接着用部５２とを備えている。
【００３８】
当て止め部５１は、鏡筒本体２の内周における接着用部５２から径方向内側に突出されるようにして形成されている。この実施形態では、四角柱状の複数の突片５１ａの後端面に形成されている。
【００３９】
詳しくは、各突片５１ａは、鏡筒本体２の内周から径方向内側に突出されるようにして、鏡筒本体２の軸方向に沿って延されている。このように構成された突片５１ａが、鏡筒本体２の周方向に沿って、所定の間隔をもって複数、配設されている。そして、それらの突片５１ａの後端面全体で当て止め部５１をなしている。
【００４０】
接着用部５２は、鏡筒本体２の内周における当て止め部５１と隣接する位置に、後述の互いに周方向に隣接する２つのスリット７同士の間に、周方向に沿って形成されている。
【００４１】
付設部材支持部６は、周方向に隣接する２つのレンズ取付片５ａの間に配設されている。尚、付設部材支持部６は、３つから構成されるものに限らず、複数から構成されればよく、適宜変更できる。
【００４２】
各付設部材支持部６は、後端面が付設部材４を受ける受け面６０をなしており、その受け面６０に、固定部材としての取付ボルト８と螺合されるネジ孔６１が設けられている。又、各付設部材支持部６は、周方向の両端に、リブ６２を備えている。
【００４３】
これらのリブ６２は、付設部材支持部６の強度を高めるためのもので、この実施形態では、各リブ６２は、付設部材支持部６の内周から径方向内側に突出するようにして、鏡筒本体２の軸方向に沿って、付設部材支持部６の前端から後端までの範囲に形成されている。尚、リブ６２は、付設部材支持部６の内周から径方向内側に突出される形態のものに限らず、例えば付設部材支持部６の外周から径方向外側に突出するもの、或いは、付設部材支持部６の外周から径方向外側に突出するとともに、付設部材支持部６の内周から径方向内側に突出するものでもよく、適宜変更できる。
【００４４】
又、このように構成された３つの付設部材支持部６の周方向の長さの合計は、３つのレンズ取付部５の周方向の長さの合計よりも短くなるように設定されている。即ち、鏡筒本体２の一端部の周方向におけるレンズ取付部５の全長さ領域は、その周方向における付設部材支持部６の全長さ領域よりも長くなるように形成されている。
【００４５】
スリット７は、付設部材支持部６をレンズ取付部５から切り離すためのもので、鏡筒本体２の周方向に付設部材支持部６とレンズ取付部５との間に配設されている。このスリット７は、鏡筒本体２の後端面から、所定の幅で、鏡筒本体２の軸方向に沿って前方側に所定の長さ（深さ）で形成されている。
【００４６】
又、この実施形態では、鏡筒本体２の後端面からのスリット７の長さＬ１は、当て止め部５１の鏡筒本体２の後端面からの深さＬ２よりも長くなるように形成されている。
【００４７】
レンズ保持部材３は、円筒状の保持枠３１と、保持枠３１の内周側に固定的に保持された１又は２以上のレンズからなる第２レンズ３２とを備えている。保持枠３１は、その外周径が、レンズ取付部５の接着用部５２の径よりやや小さい程度に形成され、接着用部５２に入り込むことができるようになっている。
【００４８】
又、保持枠３１は、外周における付設部材支持部６に対応する位置に、付設部材支持部６のそれぞれと径方向に対向する付設部材支持部用対向部３１ａを備えている。
【００４９】
付設部材支持部用対向部３１ａは、付設部材支持部６を受容できるように、レンズ保持部材３の外周から径内側に窪まされるようにして形成されている。
【００５０】
詳しくは、付設部材支持部用対向部３１ａは、図５に示すように、付設部材支持部６の周方向の幅よりも広い幅で、付設部材支持部６のリブ６２との径方向の間に隙間３１ｂができるように形成されている。これにより、レンズ保持部材３がレンズ取付部５に取付けられた状態で、付設部材支持部６に径方向内側から隙間３１ｂを隔てて対向するようになっている。
【００５１】
付設部材４は、この実施形態では、図１に示すように円筒状の保持枠４１と、保持枠４１の内周側に固定的に保持された１又は２以上のレンズからなる第３レンズ４２とを備えている。
【００５２】
保持枠４１は、外径が、鏡筒本体２の軸方向の後端部の外径と同程度に形成され、レンズ取付部５及び付設部材支持部６を後方側から覆うようになっている。
【００５３】
そして、この保持枠４１は、外周部における付設部材支持部６のネジ孔６１に対応する位置に、取付ボルト８を係止する係止部４１ａ、４１ｂを備え、取付ボルト８を介して鏡筒本体２に着脱自在に取り付けられている。
【００５４】
この係止部は、取付ボルト８の軸部を挿通する挿通孔４１ａと、挿通孔４１ａの周縁部に形成され取付ボルト８の頭部を受ける頭部受け部４１ｂとを備えている。
【００５５】
以上のように構成されたレンズ鏡筒１は、次のようにして組みつけられる。
【００５６】
まず、レンズ取付部５の接着用部５２とレンズ保持部材３の外周との一方又は両方に接着剤９が塗布される。使用される接着剤９（図５に図示）は、種類等は特に限定されず、例えばＵＶ硬化樹脂等のエネルギー硬化型接着剤が使用可能である。
【００５７】
そのレンズ保持部材３の外周に接着剤が塗布される際、付設部材支持部用対向部３１ａがレンズ保持部材３の外周から凹んでいるため、作業者が誤って付設部材支持部用対向部３１ａに接着剤を塗布することを防止できる。
【００５８】
その後、図４、図５に示すように、レンズ保持部材３がレンズ取付部５の接着用部５２に、当て止め部５１に当て止めされるまで入れられる。この状態で、レンズ保持部材３の鏡筒本体２に対する軸方向（光軸方向）の位置が決められた状態になる。そして、この状態から、図示しない径方向位置調整装置を用いて、レンズ保持部材３の径方向の位置が調整され、その調整後、接着剤９が硬化される。
【００５９】
この状態で、付設部材支持部用対向部３１ａと付設部材支持部６と間に隙間３１ｂが形成され、その隙間３１ｂに、接着剤９は配設されておらず、付設部材支持部６は、非接触になっている。
【００６０】
次に、図１（ａ）（ｂ）に示すように、付設部材４が、接着されたレンズ保持部材３の後方側から、調整ワッシャ４０を介してレンズ保持部材３を覆うように配設される。そして、その状態で、係止部の挿通孔４１ａに取付ボルト８の軸部が挿通され、その挿通された軸部が付設部材支持部６のネジ孔６１に螺合されて締め付けられる。尚、調整ワッシャ４０は、付設部材４の鏡筒本体２に対する軸方向の位置を調整するためのものである。
【００６１】
この取付ボルト８の締め付けに際し、取付ボルト８の頭部が頭部受け部４１ｂを介して付設部材支持部６の受け面６０を前方側に押圧する。そのため、付設部材支持部６が歪みや変形を起こす。又、取付ボルト８の軸部が付設部材支持部６のネジ孔６１に螺合される際も、挿通孔４１ａとネジ孔６１との寸法誤差等による位置ずれのために、付設部材支持部６が歪みや変形を起こす。
【００６２】
しかし、付設部材支持部６は、リブ６２を備えているため、リブ６２を有しない場合に較べて高強度になっており、その変形が抑えられる。又、付設部材支持部６は、スリット７によってレンズ取付部５から切り離されているため、付設部材支持部６の歪みや変形がレンズ取付部５に伝達し難い。又、付設部材支持部６は、接着剤９と非接触になっているため、硬化した接着剤９を介して付設部材支持部６の歪みや変形がレンズ取付部５に伝達されない。
【００６３】
従って、レンズ取付部５は、付設部材支持部６の歪みや変形の影響を受けず、位置調整された第２レンズが付設部材支持部６の歪みや変形によって位置ずれを起こすようなことを防止できる。
【００６４】
次に、第２実施形態のレンズ鏡筒１００について、図６に基いて説明する。第２実施形態のレンズ鏡筒１００は、先の第１実施形態のものと同様に、鏡筒本体１０２と、鏡筒本体１０２に取付けられたレンズ保持部材及び付設部材１０４とを備えている。鏡筒本体１０２と、レンズ保持部材とは、先の第１実施形態のものと同構成を採っている。
【００６５】
付設部材１０４は、保持枠１４１と、保持枠１４１の内周側に固定的に保持された１又は２以上のレンズからなる第３レンズ１４２とを備えている。
【００６６】
保持枠１４１は、先の第１実施形態のものと同様に、外周部に、取付ボルト１０８を係止した３つの係止部１４１ａ、１４１ｂを備えている。これらの係止部１４１ａ、１４１ｂは、先の第１実施形態のものと同構成を採っている。
【００６７】
又、この第２実施形態の保持枠１４１は、各係止部１４１ａ、１４１ｂを挟んで周方向の両側に、切り欠き１４３を備えている。
【００６８】
切り欠き１４３は、所定の幅で、保持枠１４１の外周から径方向内側に所定の長さで切り込まれるようにして形成されている。第２実施形態のその他は、先の第１実施形態のものと同構成を採っている。
【００６９】
このように構成された第２実施形態では、先の第１実施形態の作用効果に加え、取付ボルト１０８の締め付けに際し、係止部１４１ａ、１４１ｂが歪みや変形を起こし、付設部材支持部１０６の歪みや変形を抑えることができる。
【００７０】
従って、レンズ取付部５は、付設部材支持部６の歪みや変形の影響をより一層、受けず、位置調整された第２レンズが付設部材支持部６の歪みや変形によって位置ずれを起こすようなことを、より確実に防止できる。
【００７１】
次に、第３実施形態のレンズ鏡筒２００について、図７〜図１１に基いて説明する。第３実施形態のレンズ鏡筒２００は、図７に示すように、鏡筒本体２０２と、鏡筒本体２０２に取付けられた１又は２以上のレンズからなるレンズ２０３及び付設部材２０４とを備えている。付設部材２０４は、先の第１実施形態のものと同構成を採っている。
【００７２】
鏡筒本体２０２は、先の第１実施形態のものと同様に、レンズ取付部２０５の当て止め部２５１を、１つのレンズ取付片２０５ａについて１つ、備えている。
【００７３】
レンズ２０３は、この第３実施形態では、先の第１実施形態のように保持枠３１に保持されることなく、直接、レンズ取付部２０５の当て止め部２５１に当て止めされてレンズ取付部２０５の接着用部２５２に接着剤２０９を介して取り付けられている。
【００７４】
レンズ２０３は、外周面と付設部材支持部２０６のリブ２６２との径方向の間に隙間２３１ｂができるような大きさに形成されている。
【００７５】
このように構成された第３実施形態では、レンズ取付部２０５の接着用部２５２とレンズ２０３の外周面との一方又は両方に接着剤２０９が塗布される。
【００７６】
その後、レンズ２０３がレンズ取付部２０５の接着用部２５２に、当て止め部２５１に当て止めされるまで入れられる。この状態で、レンズ２０３の鏡筒本体２０２に対する軸方向の位置が決められ、その状態から、先の第１実施形態と同様に、図示しない径方向位置調整装置を用いて、レンズ２０３の径方向の位置が調整され、その調整後、接着剤２０９が硬化される。
【００７７】
この状態においても、レンズ２０３の外周と付設部材支持部２０６と間に隙間２３１ｂが形成され、その隙間２３１ｂに、接着剤２０９は配設されておらず、付設部材支持部２０６は、接着剤２０９と非接触になっている。
【００７８】
次に、図７に示すように、付設部材２０４が、接着されたレンズ２０３の後方側から、調整ワッシャ２４０を介してレンズ２０３を覆うように配設される。そして、その状態で、付設部材２０４の係止部の挿通孔２４１ａに取付ボルト２０８の軸部が挿通されてその軸部が付設部材支持部２０６のネジ孔２６１に螺合されて締め付けられる。
【００７９】
この場合においても、取付ボルト２０８の締め付けに際し、挿通孔２４１ａとネジ孔２６１との寸法誤差等による位置ずれ、或いは、付設部材支持部２０６の受け面２６０を前方側に押圧し、付設部材支持部２０６が歪みや変形を起こすが、付設部材支持部２０６は、リブ２６２によって、その変形が抑えられる。
【００８０】
又、付設部材支持部２０６は、スリット２０７によってレンズ取付部２０５から切り離されているため、付設部材支持部２０６の歪みや変形がレンズ取付部２０５に伝達し難い。又、付設部材支持部２０６は、接着剤２０９と非接触になっているため、硬化した接着剤２０９を介して付設部材支持部２０６の歪みや変形がレンズ取付部２０５に伝達されない。
【００８１】
従って、レンズ取付部２０５は、付設部材支持部２０６の歪みや変形の影響を受けず、位置調整されたレンズ２０３が付設部材支持部２０６の歪みや変形によって位置ずれを起こすようなことが防止される。
【００８２】
尚、上記実施形態では、鏡筒本体は、レンズを保持しているが、この形態のものに限らず、鏡筒本体はレンズを保持しないものでもよく、適宜変更できる。又、付設部材についても、上記実施形態では、レンズを保持しているが、付設部材はレンズを保持する形態のものに限らず、レンズを保持しないものでもよく、適宜変更できる。
【００８３】
また、上記実施形態では、固定部材は、取付ボルトから構成されたが、この形態のものに限らず、適宜変更できる。例えば固定部材は、カシメピン等から構成されてもよい。
【符号の説明】
【００８４】
１、１００、２００    レンズ鏡筒
２、１０２、２０２    鏡筒本体
３    レンズ保持部材
４、１０４、２０４    付設部材
５、２０５    レンズ取付部
６、２０６    付設部材支持部
７、２０７    スリット
８、１０８、２０８    取付ボルト（固定部材）
２０３    レンズ
６２、２６２    リブ
【図１】
2014215587.tif 000003
【図２】
2014215587.tif 000004
【図３】
2014215587.tif 000005
【図４】
2014215587.tif 000006
【図５】
2014215587.tif 000007
【図６】
2014215587.tif 000008
【図７】
2014215587.tif 000009
【図８】
2014215587.tif 000010
【図９】
2014215587.tif 000011
【図１０】
2014215587.tif 000012
【図１１】
2014215587.tif 000013